(57)【要約】【課題】印刷される、あるいは既に印刷された内容の修正を容易に行うことができる画像形成装置を得る。【解決手段】この画像形成装置１は、印刷データに基づいて画像を用紙上に形成、定着させて出力する印刷機能をもつ出力部１３を具備する。また、この画像形成装置１においては、印刷データ中における印刷されるべき複数の文字（文字列）を認識するプロセッサである文字認識部１６が設けられる。更に、認識された文字列を解析し、その中における修正対象となる文字を認識するプロセッサである解析部１７が設けられる。また、上記の文字列において、解析部１７を用いて認識された修正対象となる文字（修正対象文字）を所望の文字（置換文字）に変換して修正した印刷データを作成する文字データ編集部（文字データ編集手段）１８も設けられる。【選択図】図１
2019055572.tif 000002
【特許請求の範囲】
【請求項１】
複数の文字からなる文字列が含まれる出力画像を媒体上に形成するための印刷データを入手する印刷データ入力手段と、
前記出力画像における文字列を前記印刷データから認識する文字認識手段と、
前記文字列を構成する文字のうち修正の対象となる文字である修正対象文字を、置換文字に置換するように前記印刷データを編集する文字データ編集手段と、
編集後の前記印刷データを用いて前記媒体上に画像を形成して出力する出力手段と、
を具備することを特徴とする画像形成装置。
【請求項２】
前記印刷データ入力手段は、与えられた原稿上に形成された２次元画像を読み込み、当該２次元画像から前記印刷データを入手することを特徴とする請求項１に記載の画像形成装置。
【請求項３】
前記出力手段は、前記文字データ編集手段によって編集された前記印刷データを用いて前記原稿上に画像を上書きして出力することを特徴とする請求項２に記載の画像形成装置。
【請求項４】
前記文字認識手段は、前記文字列を構成する文字の色と当該文字の背景の色を認識することを特徴とする請求項３に記載の画像形成装置。
【請求項５】
前記出力手段において、前記原稿上における前記修正対象文字のある箇所が、前記背景の色で印刷された後に、前記置換文字が印刷されることを特徴とする請求項４に記載の画像形成装置。
【請求項６】
前記出力手段は、前記文字データ編集手段によって編集された前記印刷データを用いて前記原稿とは異なる前記媒体上に画像を形成して出力することを特徴とする請求項２から請求項５までのいずれか１項に記載の画像形成装置。
【請求項７】
前記印刷データ入力手段は、ネットワークを介して接続されたコンピュータから前記印刷データを入手することを特徴とする請求項１に記載の画像形成装置。
【請求項８】
前記文字データ編集手段によって編集される前の前記印刷データに基づく画像を表示する表示手段を具備することを特徴とする請求項１から請求項７までのいずれか１項に記載の画像形成装置。
【請求項９】
前記修正対象文字の候補となる修正候補文字を予め記憶する修正候補文字記憶手段を具備し、
前記表示手段は、前記修正候補文字が前記文字列中に存在する場合に、前記文字列中の前記修正候補文字を表示することを特徴とする請求項８に記載の画像形成装置。
【請求項１０】
前記修正候補文字は、使用者毎に設定されることを特徴とする請求項９に記載の画像形成装置。
【発明の詳細な説明】
【技術分野】
【０００１】
本発明は、文字データを媒体上に印刷して出力する画像形成装置に関する。
【背景技術】
【０００２】
印刷機能をもつプリンタや、印刷機能、複写機能をもつ複合機においては、印刷データを用いて、媒体（用紙）上に画像が形成されて出力される。ここで、ネットワークを介して接続されたパーソナルコンピュータから印刷を行う場合には、パーソナルコンピュータ側から文書ファイルに対応した印刷データが送信され、この印刷データによって媒体（用紙）上に画像が形成される。複写を行う場合には、原稿からスキャナによって光学的に読み込まれた２次元画像がデータとして取り込まれ、このデータに基づいた印刷データによって同様に媒体上に画像が形成される。どの場合においても、単一の印刷データを用いて多数枚の用紙に対して同一の画像を出力させることもできる。
【０００３】
この際、パーソナルコンピュータにおける文書ファイルや、スキャナで読み込まれる原稿における記載に誤りがあると、全ての用紙に対してこのように誤った内容の出力が行われる。このため、このように誤った出力が行われることを防止するための技術が用いられた画像形成装置が、例えば特許文献１〜３に記載されている。
【０００４】
これらの画像形成装置においては、実際に多数の用紙に対してこうした出力を行う前に、仮の試験的な出力あるいは表示を行い、この出力あるいは表示を使用者が確認し、必要があればその内容を修正した後に、実際の出力を行うことができる。また、パーソナルコンピュータにおける文書ファイルを印刷する場合には、印刷出力されるべき画像（プレビュー画像）を予めパーソナルコンピュータ側のディスプレイで確認することによって、こうした誤りを防止することもできる。
【先行技術文献】
【特許文献】
【０００５】
【特許文献１】特開２００５−２２３４３号公報
【特許文献１】特開２００５−９４５２４号公報
【特許文献１】特開２００７−２７２１２８号公報
【発明の概要】
【発明が解決しようとする課題】
【０００６】
上記の技術において、パーソナルコンピュータにおける文書ファイルを印刷する際に誤りが発見された場合には、パーソナルコンピュータ側で文書ファイルを編集して修正することが必要であった。また、複写の際にスキャナで読み込まれた原稿における誤りが発見された場合には、この原稿を出力したパーソナルコンピュータ等でこれを修正してこの原稿を再出力することが必要となった。
【０００７】
画像形成装置とパーソナルコンピュータとは近接した場所にない場合も多く、こうした場合には、この修正作業を行うために時間を要する場合があった。これに加えて、スキャナで読み込まれる原稿を修正する場合には、更に、修正後の原稿を再度スキャナで読み込ませる作業も必要となった。
【０００８】
このため、印刷される、あるいは既に印刷された内容の修正を容易に行うことができる画像形成装置が望まれた。
【０００９】
本発明はこのような状況に鑑みてなされたものであり、上記課題を解決できる技術を提供することを目的とする。
【課題を解決するための手段】
【００１０】
本発明の画像形成装置は、複数の文字からなる文字列が含まれる出力画像を媒体上に形成するための印刷データを入手する印刷データ入力手段と、前記出力画像における文字列を前記印刷データから認識する文字認識手段と、前記文字列を構成する文字のうち修正の対象となる文字である修正対象文字を、置換文字に置換するように前記印刷データを編集する文字データ編集手段と、編集後の前記印刷データを用いて前記媒体上に画像を形成して出力する出力手段と、を具備することを特徴とする。
本発明の画像形成装置において、前記印刷データ入力手段は、与えられた原稿上に形成された２次元画像を読み込み、当該２次元画像から前記印刷データを入手することを特徴とする。
本発明の画像形成装置において、前記出力手段は、前記文字データ編集手段によって編集された前記印刷データを用いて前記原稿上に画像を上書きして出力することを特徴とする。
本発明の画像形成装置において、前記文字認識手段は、前記文字列を構成する文字の色と当該文字の背景の色を認識することを特徴とする。
本発明の画像形成装置は、前記出力手段において、前記原稿上における前記修正対象文字のある箇所が、前記背景の色で印刷された後に、前記置換文字が印刷されることを特徴とする。
本発明の画像形成装置において、前記出力手段は、前記文字データ編集手段によって編集された前記印刷データを用いて前記原稿とは異なる前記媒体上に画像を形成して出力することを特徴とする。
本発明の画像形成装置において、前記印刷データ入力手段は、ネットワークを介して接続されたコンピュータから前記印刷データを入手することを特徴とする。
本発明の画像形成装置は、前記文字データ編集手段によって編集される前の前記印刷データに基づく画像を表示する表示手段を具備することを特徴とする。
本発明の画像形成装置は、前記修正対象文字の候補となる修正候補文字を予め記憶する修正候補文字記憶手段を具備し、前記表示手段は、前記修正候補文字が前記文字列中に存在する場合に、前記文字列中の前記修正候補文字を表示することを特徴とする。
本発明の画像形成装置において、前記修正候補文字は、使用者毎に設定されることを特徴とする。
【発明の効果】
【００１１】
上記の構成により、印刷される、あるいは既に印刷された内容の修正を容易に行うことができる画像形成装置を得ることができる。
【図面の簡単な説明】
【００１２】
【図１】本発明の実施の形態となる画像形成装置の構成を示す図である。
【図２】本発明の実施の形態となる画像形成装置における印刷データの流れを示す図である。
【図３】本発明の実施の形態となる画像形成装置における、ミスプリント修正モードの場合の動作を示すフローチャートである。
【図４】本発明の実施の形態となる画像形成装置における、ミスプリント修正モードでの動作の場合に表示部で表示される画像の例である。
【図５】本発明の実施の形態となる画像形成装置における、ミスプリント修正モードの場合の他の動作を示すフローチャートである。
【図６】本発明の実施の形態となる画像形成装置における、元の原稿の修正が行われる際の出力の状況を示す画像の例である。
【発明を実施するための形態】
【００１３】
以下、本発明を実施するための形態について図面を参照して説明する。図１は、本発明の実施の形態に係る画像形成装置１の構成を示す図である。この画像形成装置１は、文字や記号が記載された原稿を光学的に読み込み、これを新たに媒体（用紙）上に印刷した上で出力する複写機能、あるいはネットワークを介して接続されたパーソナルコンピュータから印刷データを受信して媒体上に印刷した上で出力する印刷機能を具備する。この際、この画像形成装置１を用いた場合には、画像形成装置１が印刷された文字や記号を認識し、使用者がその修正を行うことができる。
【００１４】
この画像形成装置１は、印刷機能のために、ネットワークを介して、パーソナルコンピュータ（コンピュータ）からプリスクライブ、ポストスクリプト（共に登録商標）等のページ記述言語で記載された印刷データを入手する印刷データ受信部１１Ａを具備する。また、複写機能のために、原稿を光学的に読み込んで２次元画像データを取得するスキャナを具備する原稿読取部１１Ｂと、原稿読取部１１Ｂに対して原稿を機械的にセットする原稿給送部１２が設けられている。原稿読取部１１Ｂは、例えばＣＣＤ等の撮像素子を用いて、原稿給送部１２において所定の場所に載置された原稿を撮像することによって、２次元画像データを得る。印刷データ受信部１１Ａ、原稿読取部１１Ｂは、印刷データを入手するための印刷データ入力部（印刷データ入力手段）１１として機能する。この画像形成装置１は、印刷データ入力部１１から入力された印刷データに基づいて、印刷出力を行う。
【００１５】
この画像形成装置１は、上記の印刷データに基づいて画像を用紙上に形成、定着させて出力する印刷機能をもつ出力部（出力手段）１３を具備する。上記の印刷データ受信部１１Ａ、原稿読取部１１Ｂ、原稿給送部１２、出力部１３については、特許文献１〜３に記載され同様の機能を有する部分と同様である。ただし、ここでは、出力部１３で実際に印刷出力が行われる前に、実際の印刷出力に用いられる印刷データの編集をすることができる点が異なる。また、複写機能を用いる際に、複写の元となった原稿自身の修正を行うこともできる。
【００１６】
この画像形成装置１においては、多数の操作キーを具備し使用者による操作を受け付ける操作パネル１４と、各種の情報を表示することのできるディスプレイを具備する表示部（表示手段）１５とが設けられる。操作パネル１４による操作に応じて表示部１５に表示される画像として各種のものがあるが、表示部１５は、編集前の印刷データに基づく画像や、編集後の印刷データに基づく画像を確認することができる。操作パネル１４と表示部１５とが一体とされたタッチパネルを用いてもよい。使用者は、操作パネル１４から、修正対象となる文字あるいは文字列を入力することができる。
【００１７】
また、この画像形成装置１においては、印刷データ中における印刷されるべき複数の文字（文字列）を認識するプロセッサである文字認識部（文字認識手段）１６が設けられる。文字認識部１６は、印刷データが２次元画像データである場合には、例えば特開２０１４−２３６２６２号公報に記載された画像形成装置と同様に、２次元画像データの中から文字を認識することによって、文字列を認識することができる。ここで認識される文字は、例えば日本語文字、英文字、記号（ＪＩＳ規格）等がある。２次元画像データから文字を認識する場合には、認識された文字の色（例えば黒色）、背景の色（例えば白色：用紙の色）を認識することもできる。文字認識部１６は、印刷データがページ記述言語で記載されている場合には、これを解読して印刷すべき文字列や色を認識する。
【００１８】
更に、認識された文字列を解析し、その中における修正対象となる文字あるいは語句を認識するプロセッサである解析部１７が設けられる。また、上記の文字列において、解析部１７を用いて認識された修正対象となる文字（修正対象文字）を所望の文字（置換文字）に変換して修正した印刷データを作成する文字データ編集部（文字データ編集手段）１８も設けられる。解析部１７、文字データ編集部１８の動作については後述する。
【００１９】
この画像形成装置１が出力をする際には、通常モードと、ミスプリント修正モードの２つのモードが設定されており、モードに応じて、印刷出力のための動作の開始時から実際に出力が行われるまでの動作が異なる。制御部１０は、このようなモードの設定に応じて、全体の制御を行う。通常モードの場合には、出力部１３は、印刷データ入力部１１から入力された印刷データに基づく出力を行う。この機能は、従来より知られる印刷機能、複写機能と同様である。一方、ミスプリント修正モードにおいては、印刷データを使用者によって編集させた後に、編集後の印刷データを用いた出力をさせることができる。原稿の複写をする際には、元の原稿の修正を行うこともできる。
【００２０】
図２は、この画像形成装置１における印刷データの流れを示す図である。また、図３は、この画像形成装置１における印刷要求があってから印刷出力が行われるまでの動作を示すフローチャートである。このフローチャートにおいては、主にミスプリント修正モードにおける動作が示されている。
【００２１】
まず、図３において、印刷データ入力部１１から、初期状態（編集前）の印刷データが入力される（Ｓ１）。この印刷データは、印刷データ受信部１１Ａから得られたものについてはページ記述言語で記載され、原稿読取部１１Ｂから入力されるものについては、２次元画像データである。次に、制御部１０は、現在の設定が、通常モードであるかミスプリント修正モードであるかを認識する（Ｓ２）。この設定は、操作パネル１４を介して使用者によって行われる。通常モードである（ミスプリント修正モードでない）場合（Ｓ２：Ｎｏ）には、上記の印刷データを用いて、出力部１３は出力を行う（Ｓ３）。この際、同一の印刷データを用いて多数枚の用紙に対して出力をすることもできる。この際の枚数の設定や用紙の種類等の設定は、使用者が操作パネル１４によって行うことができる。画像を形成する前の用紙は例えば用紙トレイに収容され、画像が形成された後の用紙は、例えば出力トレイに出力される。
【００２２】
以下では、ミスプリント修正モードが設定された場合（Ｓ２：Ｙｅｓ）の動作について説明する。この場合、制御部１０は、この印刷データに基づく出力を表示部１５で表示させる（Ｓ４）。使用者は、この画面を目視し、この状態で出力を行ってよいかを確認することができる。使用者がこの状態で出力することを希望する旨を操作パネル１４を介して回答した場合（Ｓ５：Ｙｅｓ）、通常モードの場合（Ｓ２：Ｎｏ）と同様に、この印刷データを用いた出力が行われる（Ｓ３）。
【００２３】
一方、使用者が現在の印刷データを修正（編集）してから出力を行うことを望む場合（Ｓ５：Ｎｏ）には、文字認識部１６は、印刷データ中の文字列（文章）を認識する（Ｓ６）。図４（ａ）は、ここで読み込まれた文字列（文章）の画像を示す一例である。ここでは、「有価証権」、「国際証権」、「地方債証権」における「権」は「券」の誤記であると認識される。このため、使用者は、この文章において修正対象文字を「権」、これと置換する置換文字を「券」とするように、操作パネル１４を介して指示する（Ｓ７）。なお、この例では修正対象は一文字であるものとしたが、複数の文字からなる文字列としてもよい。
【００２４】
これに応じて、制御部１０は、解析部１７によって、文字認識部１６で認識された文字列における修正対象文字（列）の有無を調べる（Ｓ８）。使用者の入力ミス等によって、入力された修正対象文字（列）がみつからなかった場合（Ｓ８：Ｎｏ）には、この印刷データに基づく出力を表示部１５で再度表示させる（Ｓ４）。入力された修正対象文字（列）が存在する場合（Ｓ８：Ｙｅｓ）には、制御部１０は、表示部１５において、図４（ａ）の画像における修正箇所を示した上で表示させる（Ｓ９）。図４（ｂ）は、図４（ａ）の画像を表示した後で、このように表示をした場合の画像の一例を示す。ここでは、修正を希望する「有価証権」、「国際証権」、「地方債証権」における「権」の他に、誤記ではない「著作権」の「権」も修正箇所として表示されている。このため、使用者は、操作パネル１４を操作し、ここで表示された修正箇所を全て修正することが好ましくないと判断し（Ｓ１０：Ｎｏ）、操作パネル１４の操作によって、修正箇所を再設定する操作を行う（Ｓ１１）。具体的には、「著作権」の「権」を修正箇所から除外するように指示する。その後、再び修正箇所が示された画像が表示部１５で表示される（Ｓ９）。図４（ｃ）は、図４（ｂ）の状態から修正箇所の再設定（Ｓ１１）が行われた後の表示部１５における画像の一例である。修正箇所の再設定（Ｓ１１）と表示（Ｓ９）は、修正箇所がＯＫ（Ｓ１０：Ｙｅｓ）となるまで繰り返される。
【００２５】
あるいは、使用者による修正内容の指示（Ｓ７）において、文字認識部１６で認識された文字列を全てそのまま表示部１５で表示させ、使用者が操作パネル１４を操作し、例えばカーソルを移動させることによって、この中で修正対象とする文字を選択するような設定とすることもできる。
【００２６】
修正箇所がＯＫ（Ｓ１０：Ｙｅｓ）となった後、制御部１０は、文字データ編集部１８を用いて、このように再設定された修正箇所の「権」を「券」に置換するように、印刷データを書き換える（Ｓ１２）。この際、印刷データが２次元画像データである場合には、この２次元画像データ中における該当箇所の「権」の箇所を同じ大きさの「券」で置換したものを、新たな２次元画像データとする。この場合には、文字認識部１６は、修正前の「権」の大きさだけでなく、その書体やフォントも認識することが好ましく、この場合には、修正前の「権」と修正後の「券」の書体やフォント、色を同一とすることができる。この２次元画像データに基づく印刷データが文字データ編集部１８によって生成される。一方、文字データ編集部１８は、印刷データがページ記述言語で記載されていた場合には、これを編集して、該当箇所の「権」を「券」に置換することができる。
【００２７】
その後、このように生成された新たな印刷データに基づく画像が表示部１５で再度表示される。図４（ｄ）は、図４（ｃ）の後でこのように編集が行われて表示部１５で再度表示された画像の一例である。使用者が、この画像を出力させることを望む場合（Ｓ５：Ｙｅｓ）には、この印刷データを用いた出力が行われる（Ｓ３）。再修正を望む場合（Ｓ５：Ｎｏ）には、印刷データの文字認識（Ｓ６）以降の工程が、前記と同様に行われる。この作業は、使用者が印刷の許可（Ｓ５：Ｙｅｓ）を行うまで繰り返される。
【００２８】
上記の画像形成装置１においては、実際に大量の枚数の出力を行わせる前に、誤った記載内容が訂正され、訂正後の文書が大量に出力される。この訂正のための作業も、前記の通り容易である。
【００２９】
図３のフローチャートにおいては、この画像形成装置１によって用紙上に出力されるべき内容が、実際の出力をする前に適正に修正された。一方、特に複写機能を用いる場合に元となる原稿に誤記がある場合には、複写される出力だけでなく、この原稿自身も修正することが好ましい。図５は、こうした機能を実現するためのフローチャートの一例である。
【００３０】
ここでは、まず、原稿給送部１２に、複写の元となる１枚の原稿がセットされる（Ｓ２１）。例えば、このためには、こうした用途に専用の用紙用カセットを設けてもよい。その後、原稿読取部１１Ｂによって、この原稿を撮像して２次元画像データを得る（Ｓ１）。この点については、図３における、複写を行う際の初期状態の印刷データの入手（Ｓ１）と同様である。
【００３１】
その後、ミスプリント修正モード（Ｓ２：Ｙｅｓ）である場合における、印刷画面の仮表示（Ｓ４）から、印刷データの修正（Ｓ１２）に至るまでの過程は図３のフローチャートと同様である。また、このように修正された印刷データを用いて出力を行うこと（Ｓ３）についても同様である。
【００３２】
ただし、ここでは、印刷データの修正が行われた場合（Ｓ１２）には、原稿の上書き修正（Ｓ２２）も、セットされた原稿（Ｓ２１）に対して行われる。ただし、この原稿には既に画像が形成されているため、文字認識部１６によって認識された文字の背景色で原稿を全面にわたり着色して元の画像を消去した後に、修正後の印刷データを用いて画像が形成される。
【００３３】
あるいは、この際に、図６（ａ）に示されるように、図４（ｃ）における修正箇所（「有価証権」、「国際証権」、「地方債証権」における「権」）のみに背景色を上書きし、その上に図６（ｂ）に示すように、「券」を上書きする設定としてもよい。この場合においては、図６（ａ）の状態とする（修正箇所のみに背景色を局所的に上書きする）ための印刷データと、図６（ｂ）の状態とする（修正箇所に「券」を上書きする）ための印刷データが必要となる。どちらの印刷データも、文字データ編集部１８が作成することができる。
【００３４】
その後、このように修正された原稿も出力される（Ｓ２３）。具体的には、修正後の原稿が前記のような専用の用紙用カセットに戻されてもよく、他の出力（Ｓ３）と共に出力トレイに出力されていてもよい。また、この場合には、印刷出力（Ｓ３）を全く行わせず、元の原稿の修正、出力（Ｓ２２、Ｓ２３）のみを行ってもよい。これは、図５のフローチャートを実行するにあたり、出力（Ｓ３）される用紙の枚数を零とした場合に相当する。この場合には、印刷済みの原稿に対する修正作業を、この画像形成装置１において行うことができる。上記の例では、１枚の原稿が用いられたが、同一内容の原稿を多数枚セットし、全ての原稿に対して同一内容の修正をすることもできる。
【００３５】
上記の例では、使用者が表示部１５の画面を見た上で誤記を確認し、操作パネル１４を操作することによってこの誤記の箇所を指定することによって修正が行われた。しかしながら、修正の対象となる誤記としては、日本語、漢字の変換ミスやかな使いのミス等、高い頻度で発生するものも多い。こうした修正の対象となる語句（修正候補文字）を、図１において、不揮発性メモリで構成された修正候補文字記憶部（修正候補文字記憶手段）２０に予め記憶させることができる。この際、過去に修正の対象となった語句を全て修正候補文字記憶部２０に記憶させ、制御部１０は、その統計的な結果に基づき、例えば特に修正対象文字とされた頻度の高かった語句を修正候補文字として記憶させることができる。
【００３６】
この場合、解析部１７は、認識した文字列（全文）中においてこのような修正候補文字と一致する箇所があるか否かを認識することができる。修正候補文字と一致する箇所があった場合には、制御部１０は、表示部１５中で文字列（全文）を表示する際に、このような修正候補文字と一致した箇所を表示させることができる。
【００３７】
画像形成装置１の使用者が限定され、使用者に対して設定された識別番号が操作パネル１４から入力される設定とされた場合には、制御部１０は、使用者との識別番号等との対応関係を記憶する使用者情報記憶部（使用者情報記憶手段）２１を参照し、この使用者を認識することができる。この場合には、修正候補文字記憶部２０は、修正の対象となった語句を使用者毎に記憶し、使用者毎の統計的結果に応じて修正候補文字を使用者毎に設定することができる。この場合、使用者の癖による誤記の対処が特に容易となる。
【００３８】
この際、修正候補文字と同一であれば実際には誤記ではない箇所も修正対象として表示されるが、その場合には、使用者が修正箇所を再設定（Ｓ１１）することによって、誤った変更が行われることを防止することができる。一方、このように修正候補文字を設定することによって、使用者が表示部１５の画面をみただけでは気付かなかった誤記を使用者に認識させることができる。
【００３９】
なお、上記の例では、修正される文字やこれを置換する文字が漢字であったが、文字認識手段が認識できる限りにおいて、ローマ字（英数字）や記号であってもよい。あるいは、記号として使用者が定義したものが用いられる場合には、これを修正候補文字記憶部に記憶させて用いてもよい。
【００４０】
また、上記のような原稿読取部（印刷データ入力手段）や出力手段は、印刷や複写を行う複合機（ＭＦＰ：ＭｕｌｔｉＦｕｎｔｉｏｎ  Ｐｒｉｎｔｅｒ）が通常具備するものと同様であり、表示手段としても、ＭＦＰに通常設けられているものを用いることができる。修正候補文字記憶手段や使用者情報記憶手段としても、ＭＦＰ等に通常用いられている不揮発性メモリやハードディスクを用いることができる。このため、上記の画像形成装置は、通常のＭＦＰに対して、文字認識手段、解析部、文字データ編集手段として機能するプロセッサ等を新たに設けるだけで、容易かつ安価に実現することができる。
【符号の説明】
【００４１】
１  画像形成装置
１０  制御部
１１  印刷データ入力部（印刷データ入力手段）
１１Ａ  印刷データ受信部
１１Ｂ  原稿読取部
１２  原稿給送部
１３  出力部
１４  操作パネル
１５  表示部（表示手段）
１６  文字認識部（文字認識手段）
１７  解析部
１８  文字データ編集部（文字データ編集手段）
２０  修正候補文字記憶部（修正候補文字記憶手段）
２１  使用者情報記憶部（使用者情報記憶手段）
【図１】
2019055572.tif 000003
【図２】
2019055572.tif 000004
【図３】
2019055572.tif 000005
【図４】
2019055572.tif 000006
【図５】
2019055572.tif 000007
【図６】
2019055572.tif 000008